(57)【要約】【課題】腹側及び背側において排泄物の漏出を抑制しやすいパンツ型吸収性物品を提供する。【解決手段】吸収性本体（１０）と、前側ベルト部（２０）と、後側ベルト部（３０）とを有し、前側ベルト部（２０）と後側ベルト部（３０）とが左右方向の両端部（２）で接合されることによって胴回り開口部（ＢＨ）が形成されている、パンツ型吸収性物品（１）であって、吸収性本体（１０）には、左右方向の両側から着用者の肌側に起立可能な一対の防漏壁部（５０）が設けられており、胴回り開口部（ＢＨ）を自然状態から前後及び左右に広げて、上側からパンツ型吸収性物品（１）を見たときに、防漏壁部（５０）が肌側に最も高く起立している部分が、前後方向の後側にある。【選択図】図８
2019198592.tif 000002
【特許請求の範囲】
【請求項１】
互いに交差する上下方向と左右方向と前後方向とを有し、
吸収性本体と、前側ベルト部と、後側ベルト部とを有し、
前記前側ベルト部と前記後側ベルト部とが前記左右方向の両端部で接合されることによって胴回り開口部が形成されている、パンツ型吸収性物品であって、
前記吸収性本体には、前記左右方向の両側から着用者の肌側に起立可能な一対の防漏壁部が設けられており、
前記胴回り開口部を自然状態から前後及び左右に広げて、上側から前記パンツ型吸収性物品を見たときに、
前記防漏壁部が前記肌側に最も高く起立している部分が、前記前後方向の後側にある、ことを特徴とするパンツ型吸収性物品。 
【請求項２】
請求項１に記載のパンツ型吸収性物品であって、
少なくとも前記前後方向の中央よりも前側の第１位置において、前記防漏壁部が起立する起点となる第１起立起点は、
前記第１位置よりも前記前後方向の後側の第２位置において、前記防漏壁部が起立する起点となる第２起立起点よりも、前記左右方向の内側に位置している、ことを特徴とするパンツ型吸収性物品。
【請求項３】
請求項２に記載のパンツ型吸収性物品であって、
前記防漏壁部は、
前記左右方向の外側端部において前記上下方向に沿って設けられた第１接合領域と、
前記吸収性本体の前側上端部及び後側上端部、かつ、前記左右方向において前記第１接合領域よりも内側に設けられ、前記防漏壁部を起立不能に固定する第２接合領域と、
少なくとも、前記上下方向において前記吸収性本体の前記前側上端部に設けられた前記第２接合領域の下端と前記吸収性本体の下端との間、かつ、前記左右方向において前記第１接合領域と前記第２接合領域との間に設けられた第３接合領域と、
によって、前記吸収性本体に接合されている、ことを特徴とするパンツ型吸収性物品。
【請求項４】
請求項３に記載のパンツ型吸収性物品であって、
前記第１位置は、前記上下方向において、前記第３接合領域と重複する位置である、ことを特徴とするパンツ型吸収性物品。
【請求項５】
請求項３または４に記載のパンツ型吸収性物品であって、
前記吸収性本体を伸長させた状態で、前記吸収性本体の前記前側上端部に配置されている前記第２接合領域の前記上下方向における下端かつ前記左右方向における内側端と、前記第３接合領域の前記上下方向における下端かつ前記左右方向における内側端とを結んで延長した直線と、前記第１接合領域との交点が、
前記前後方向において、前記吸収性本体の下端よりも後側に位置している、ことを特徴とするパンツ型吸収性物品。
【請求項６】
請求項３〜５のいずれか１項記載のパンツ型吸収性物品であって、
前側ベルト部と、後側ベルト部とを有し、
前記吸収性本体を伸長させた状態で、前記吸収性本体の前記前側上端部に配置されている前記第２接合領域の前記上下方向における下端かつ前記左右方向における内側端と、前記第３接合領域の前記上下方向における下端かつ前記左右方向における内側端とを結んで延長した直線と、前記第１接合領域との交点が、
前記上下方向において、前記後側ベルト部の下端よりも下側に位置している、ことを特徴とするパンツ型吸収性物品。
【請求項７】
請求項３〜６のいずれか１項に記載のパンツ型吸収性物品であって、
前側ベルト部と、後側ベルト部とを有し、
前記上下方向において、前記第３接合領域の下端が、前記後側ベルト部の下端よりも下側に位置している、ことを特徴とするパンツ型吸収性物品。
【請求項８】
請求項７に記載のパンツ型吸収性物品であって、
前記前後方向において、前記第３接合領域の下端が、前記吸収性本体の下端よりも前側に位置している、ことを特徴とするパンツ型吸収性物品。
【請求項９】
請求項３〜８のいずれか１項に記載のパンツ型吸収性物品であって、
前側ベルト部と、後側ベルト部とを有し、
前記上下方向において、前記第３接合領域の上端が、前記前側ベルト部の下端よりも上側に位置している、ことを特徴とするパンツ型吸収性物品。
【請求項１０】
請求項９に記載のパンツ型吸収性物品であって、
前記上下方向において、前記第３接合領域の上端が、前記吸収性本体の前記前側上端部に配置されている前記第２接合領域の下端よりも上側に位置している、ことを特徴とするパンツ型吸収性物品。
【請求項１１】
請求項３〜１０のいずれか１項に記載のパンツ型吸収性物品であって、
前記上下方向において、前記第３接合領域の上端が、前記吸収性本体の前記前側上端部に配置されている前記第２接合領域の上端よりも下側に位置している、ことを特徴とするパンツ型吸収性物品。
【請求項１２】
請求項３〜１１のいずれか１項に記載のパンツ型吸収性物品であって、
前記吸収性本体は、液吸収性の吸収性コアを有し、
前記吸収性コアは、前記吸収性コアの長手方向の両端部の間に、前記左右方向における長さが短くなったくびれ部を有しており、
前記上下方向において、前記第３接合領域の上端が、前記吸収性コアの前記くびれ部よりも上側に位置している、ことを特徴とするパンツ型吸収性物品。
【請求項１３】
請求項３〜１２のいずれか１項に記載のパンツ型吸収性物品であって、
前記上下方向において、前記第３接合領域の長さは、前記第２接合領域の長さよりも長い、ことを特徴とするパンツ型吸収性物品。
【請求項１４】
請求項３〜１３のいずれか１項に記載のパンツ型吸収性物品であって、
前記吸収性本体は、液吸収性の吸収性コアを有し、
左右方向において、
前記防漏壁部を構成する防漏壁シートの外側端部は、前記吸収性コアよりも外側に配置されており、
前記第３接合領域は、前記吸収性コアと前記第１接合領域との間に設けられている、ことを特徴とするパンツ型吸収性物品。
【請求項１５】
請求項３〜１３のいずれか１項に記載のパンツ型吸収性物品であって、
前記吸収性本体は、液吸収性の吸収性コアを有し、
左右方向において、
前記防漏壁部を構成する防漏壁シートの外側端部は、少なくとも一部が前記吸収性コアよりも非肌側に重複して配置されており、
前記第３接合領域は、少なくとも一部が前記吸収性コアよりも肌側に重複して配置されている、ことを特徴とするパンツ型吸収性物品。
【請求項１６】
請求項３〜１５のいずれか１項に記載のパンツ型吸収性物品であって、
前記上下方向において、前記吸収性本体の前記前側上端部に配置されている前記第２接合領域の長さが、前記吸収性本体の後側上端部に配置されている前記第２接合領域の長さよりも短い、ことを特徴とするパンツ型吸収性物品。
【請求項１７】
請求項３〜１６のいずれか１項に記載のパンツ型吸収性物品であって、
前記第３接合領域は、前記吸収性本体の前側上端部に配置された前側第３接合領域と、前記吸収性本体の後側上端部に配置された後側第３接合領域とを有し、
前記上下方向において、
前記前側第３接合領域の上端は、前記吸収性本体の前側上端まで延びており、
前記後側第３接合領域の上端は、前記吸収性本体の後側上端まで延びている、
ことを特徴とするパンツ型吸収性物品。
【発明の詳細な説明】
【技術分野】
【０００１】
本発明は、パンツ型吸収性物品に関する。
【背景技術】
【０００２】
パンツ型吸収性物品として、パンツ型使い捨ておむつが知られている。特許文献１には、前身頃外装体（前側ベルト部）と後身頃外装体（後側ベルト部）の間に吸収性本体が架橋され、前身頃外装体と後身頃外装体の幅方向両側縁が互いに接合され、腰周り開口部及び脚回り開口部が形成されたパンツ型使い捨ておむつが開示されている。そして、吸収性本体には、幅方向両側端部に沿って着用者の肌側に起立する一対の立体ギャザー（防漏壁）が設けられており、該立体ギャザーによって脚回り開口から尿が漏出することを防止することができる。
【先行技術文献】
【特許文献】
【０００３】
【特許文献１】特開２０１３−１３８７９５号
【発明の概要】
【発明が解決しようとする課題】
【０００４】
パンツ型使い捨ておむつの着用対象者が乳幼児である場合、身体が小さいため、防漏壁の起立高さが高すぎると、身体とおむつとの間に大きな隙間が形成されやすくなる。この場合、排泄された尿等が吸収性本体に吸収され難くなり、腹側（前側）において尿が漏出しやすくなる。一方、防漏壁の起立高さを低くすると、背側（後側）において、排泄され吸収性本体の表面に付着した便がおむつの外に溢れてしまうおそれがある。
【０００５】
本発明は、上記のような従来の問題に鑑みてなされたものであって、その目的は、前側（腹側）及び後側（背側）において排泄物の漏出を抑制しやすいパンツ型吸収性物品を提供することにある。
【課題を解決するための手段】
【０００６】
上記目的を達成するための主たる発明は、互いに交差する上下方向と左右方向と前後方向とを有し、吸収性本体と、前側ベルト部と、後側ベルト部とを有し、前記前側ベルト部と前記後側ベルト部とが前記左右方向の両端部で接合されることによって胴回り開口部が形成されている、パンツ型吸収性物品であって、前記吸収性本体には、前記左右方向の両側から着用者の肌側に起立可能な一対の防漏壁部が設けられており、前記胴回り開口部を自然状態から前後及び左右に広げて、上側から前記パンツ型吸収性物品を見たときに、前記防漏壁部が前記肌側に最も高く起立している部分が、前記前後方向の後側にある、ことを特徴とするパンツ型吸収性物品である。
本発明の他の特徴については、本明細書及び添付図面の記載により明らかにする。
【発明の効果】
【０００７】
本発明によれば、前側（腹側）及び後側（背側）において排泄物の漏出を抑制しやすいパンツ型吸収性物品を提供することができる。
【図面の簡単な説明】
【０００８】
【図１】パンツ型使い捨ておむつ１（おむつ１）の概略斜視図である。
【図２】展開かつ伸長状態のおむつ１の平面図である。
【図３】吸収性本体１０及び防漏壁部５０構成について説明する平面図及び断面図である。
【図４】接合領域５５，５６，５７の配置と、防漏壁部５０の起立可能高さと関係について説明する概略平面図である。
【図５】図４のＡ−Ａ断面について表した概略断面図である。
【図６】図４のＢ−Ｂ断面について表した概略断面図である。
【図７】図４のＣ−Ｃ断面について表した概略断面図である。
【図８】図８Ａ及び図８Ｂは、おむつ１の胴回り開口部ＢＨを、前後方向（及び左右方向）に広げて、上側からおむつ１の内部を見たときの状態について表す図である。
【図９】図９Ａ〜図９Ｃは、防漏壁部５０の第１変形例について説明する図である。
【図１０】第３変形例の接合領域について説明する概略平面図である。
【発明を実施するための形態】
【０００９】
本明細書及び添付図面の記載により、少なくとも以下の事項が明らかとなる。
互いに交差する上下方向と左右方向と前後方向とを有し、吸収性本体と、前側ベルト部と、後側ベルト部とを有し、前記前側ベルト部と前記後側ベルト部とが前記左右方向の両端部で接合されることによって胴回り開口部が形成されている、パンツ型吸収性物品であって、前記吸収性本体には、前記左右方向の両側から着用者の肌側に起立可能な一対の防漏壁部が設けられており、前記胴回り開口部を自然状態から前後及び左右に広げて、上側から前記パンツ型吸収性物品を見たときに、前記防漏壁部が前記肌側に最も高く起立している部分が、前記前後方向の後側にある、ことを特徴とするパンツ型吸収性物品。
【００１０】
このようなパンツ型吸収性物品によれば、後側領域において防漏壁部の起立高さが高くなることにより、吸収性本体と着用者の身体との間に便を貯留することが可能な空間（容積）を広く設けることができる。また、前側領域において防漏壁部の起立高さを抑えることにより、吸収性本体と着用者の身体との間隔を小さくし、効率的に尿を吸収させやすくし、尿の横漏れ等を生じ難くすることができる。
【００１１】
かかるパンツ型吸収性物品であって、少なくとも前記前後方向の中央よりも前側の第１位置において、前記防漏壁部が起立する起点となる第１起立起点は、
前記第１位置よりも前記前後方向の後側の第２位置において、前記防漏壁部が起立する起点となる第２起立起点よりも、前記左右方向の内側に位置している、ことが望ましい。
【００１２】
このようなパンツ型吸収性物品によれば、後側の第２位置において防漏壁部を高く起立させることにより、吸収性本体と着用者の身体との間で便を貯留することが可能な空間を広く設け、便の漏出を抑制できる。また、前側の第１位置において防漏壁部の起立高さを低く抑えることで、尿の横漏れを抑制しやすくすると共に、吸収性本体と身体との隙間を小さくして尿を吸収させやすくすることができる。これにより、前側（腹側）及び後側（背側）において排泄物の漏出を抑制しやすいパンツ型吸収性物品を実現することができる。
【００１３】
かかるパンツ型吸収性物品であって、前記防漏壁部は、前記左右方向の外側端部において前記上下方向に沿って設けられた第１接合領域と、前記吸収性本体の前側上端部及び後側上端部、かつ、前記左右方向において前記第１接合領域よりも内側に設けられ、前記防漏壁部を起立不能に固定する第２接合領域と、少なくとも、前記上下方向において前記吸収性本体の前記前側上端部に設けられた前記第２接合領域の下端と前記吸収性本体の下端との間、かつ、前記左右方向において前記第１接合領域と前記第２接合領域との間に設けられた第３接合領域と、によって、前記吸収性本体に接合されている、ことが望ましい。
【００１４】
このようなパンツ型吸収性物品によれば、第３接合領域を起立起点とする防漏壁部の起立高さを、第１接合領域を起立起点とする防漏壁部の起立高さよりも低くすることができる。したがって、各接合領域を適当に設けることにより、前側（腹側）及び後側（背側）において、排泄物の漏出をより効率的に抑制することができる。
【００１５】
かかるパンツ型吸収性物品であって、前記第１位置は、前記上下方向において、前記第３接合領域と重複する位置である、ことが望ましい。
【００１６】
このようなパンツ型吸収性物品によれば、第３接合領域の上下方向（前後方向）における配置や長さやを変更することによって、防漏壁部の起立高さが低くなる領域を調整することができる。これにより、着用対象者の身体の大きさ等に応じてよりフィットしやすい防漏壁部を有する吸収性物品を実現できる。
【００１７】
かかるパンツ型吸収性物品であって、前記吸収性本体を伸長させた状態で、前記吸収性本体の前記前側上端部に配置されている前記第２接合領域の前記上下方向における下端かつ前記左右方向における内側端と、前記第３接合領域の前記上下方向における下端かつ前記左右方向における内側端とを結んで延長した直線と、前記第１接合領域との交点が、前記前後方向において、前記吸収性本体の下端よりも後側に位置している、ことが望ましい。
【００１８】
このようなパンツ型吸収性物品によれば、防漏壁部が、第２接合領域及び第３接合領域による影響を受けずに実際に起立可能な高さが最も高くなる部分（領域）が、前後方向の後側になる。すなわち、前側においては防漏壁部の起立高さが抑えられ、後側においては防漏壁部の起立高さが高くなる。これにより、前側（腹側）及び後側（背側）において排泄物の漏出を抑制しやすくすることができる。
【００１９】
かかるパンツ型吸収性物品であって、前側ベルト部と、後側ベルト部とを有し、前記吸収性本体を伸長させた状態で、前記吸収性本体の前記前側上端部に配置されている前記第２接合領域の前記上下方向における下端かつ、前記左右方向における内側端と、前記第３接合領域の前記上下方向における下端かつ、前記左右方向における内側端とを結んで延長した直線と、前記第１接合領域との交点が、前記上下方向において、前記後側ベルト部の下端よりも下側に位置している、ことが望ましい。
【００２０】
このようなパンツ型吸収性物品によれば、上下方向において、吸収性本体の下端と後側ベルト部の下端との間で、防漏壁が最も高く起立する可能性が高くなる。これにより、着用者の排泄口（肛門）付近で防漏壁部を最も高く起立させることが可能となり、排泄物（便）をより漏出させ難くすることができる。
【００２１】
かかるパンツ型吸収性物品であって、前側ベルト部と、後側ベルト部とを有し、前記上下方向において、前記第３接合領域の下端が、前記後側ベルト部の下端よりも下側に位置している、ことが望ましい。
【００２２】
このようなパンツ型吸収性物品によれば、後側ベルト部よりも下側の領域において、防漏壁部を起立させる際に、第１接合領域を起立起点として最大起立可能高さが高くなる部分と、第３接合領域を起立起点として最大起立可能高さが低くなる部分とを形成することができる。これにより、排泄物の漏出を効果的に抑制することができる。
【００２３】
かかるパンツ型吸収性物品であって、前記前後方向において、前記第３接合領域の下端が、前記吸収性本体の下端よりも前側に位置している、ことが望ましい。
【００２４】
このようなパンツ型吸収性物品によれば、パンツ型吸収性物品の着用時に第１接合領域を起立起点として防漏壁部が高く起立する領域を大きくすることができる。これにより、便を貯留可能な空間が広くなり、後側領域において便が漏出することをより抑制しやすくなる。
【００２５】
かかるパンツ型吸収性物品であって、前側ベルト部と、後側ベルト部とを有し、前記上下方向において、前記第３接合領域の上端が、前記前側ベルト部の下端よりも上側に位置している、ことが望ましい。
【００２６】
このようなパンツ型吸収性物品によれば、前側ベルト部による胴回りの締め付け力が作用していない領域の広い範囲に亘って、第３接合領域を起立起点として防漏壁部を肌側に起立させることができる。これにより、パンツ型吸収性物品の前側領域で尿の横漏れ等を効果的に抑制することができる。
【００２７】
かかるパンツ型吸収性物品であって、前記上下方向において、前記第３接合領域の上端が、前記吸収性本体の前記前側上端部に配置されている前記第２接合領域の下端よりも上側に位置している、ことが望ましい。
【００２８】
このようなパンツ型吸収性物品によれば、パンツ型吸収性物品の腹側（前側）において、前側第２接合領域の下端と、第３接合領域の下端との間で、防漏壁部の起立高さが高くなりすぎないようにしつつ、より広い範囲で防漏壁部を起立させることが可能となる。したがって、尿の横漏れ等をより効果的に抑制することができる。
【００２９】
かかるパンツ型吸収性物品であって、前記上下方向において、前記第３接合領域の上端が、前記吸収性本体の前記前側上端部に配置されている前記第２接合領域の上端よりも下側に位置している、ことが望ましい。
【００３０】
このようなパンツ型吸収性物品によれば、上下方向において前側第２接合領域と重複して設けられる第３接合領域の面積を小さくすることができる。当該重複する領域の面積を小さくしても、防漏壁部の起立高さを調節する機能に影響はないため、第３接合領域を形成する接着材の量を低減することで、防漏壁部の機能を損なうことなくコストを削減することが可能となり、また、パンツ型吸収性物品の肌触りを良好なものとすることができる。
【００３１】
かかるパンツ型吸収性物品であって、前記吸収性本体は、液吸収性の吸収性コアを有し、前記吸収性コアは、前記吸収性コアの長手方向の両端部の間に、前記左右方向における長さが短くなったくびれ部を有しており、前記上下方向において、前記第３接合領域の上端が、前記吸収性コアの前記くびれ部よりも上側に位置している、ことが望ましい。
【００３２】
このようなパンツ型吸収性物品によれば、他の部位と比較して剛性が高い吸収性コアと第３接合領域との左右方向における距離を近くすることができる。これにより、第３接合領域に歪や変形が生じ難くなり、該第３接合領域を起立起点として防漏壁部を安定して起立させることができる。
【００３３】
かかるパンツ型吸収性物品であって、前記上下方向において、前記第３接合領域の長さは、前記第２接合領域の長さよりも長い、ことが望ましい。
【００３４】
このようなパンツ型吸収性物品によれば、上下方向において防漏壁部が起立可能な範囲を広くしつつ、第３接合領域を起立起点として防漏壁部の起立可能高さを抑制する範囲をなるべく広くすることができる。これにより、排泄物の漏出を抑制しやすくすると共に、着用時におけるフィット性を向上させることができる。
【００３５】
かかるパンツ型吸収性物品であって、前記吸収性本体は、液吸収性の吸収性コアを有し、左右方向において、前記防漏壁部を構成する防漏壁シートの外側端部は、前記吸収性コアよりも外側に配置されており、前記第３接合領域は、前記吸収性コアと前記第１接合領域との間に設けられている、ことが望ましい。
【００３６】
このようなパンツ型吸収性物品によれば、左右方向において、吸収性コアと第１接合領域との間に第３接合領域が配置されることにより、該第３接合領域によって、尿等が吸収性コアから左右方向の外側（サイドフラップ側）に移動することが抑制される。したがって、尿等がサイドフラップに染み出し難くなり、着用者に不快感を生じにくくさせることができる。
【００３７】
かかるパンツ型吸収性物品であって、前記吸収性本体は、液吸収性の吸収性コアを有し、左右方向において、前記防漏壁部を構成する防漏壁シートの外側端部は、少なくとも一部が前記吸収性コアよりも非肌側に重複して配置されており、前記第３接合領域は、少なくとも一部が前記吸収性コアよりも肌側に重複して配置されている、ことが望ましい。
【００３８】
このようなパンツ型吸収性物品によれば、吸収性コアの左右方向の両端部が防漏壁部によって覆われるため、該防漏壁によって、尿等が吸収性コアから左右方向の外側（サイドフラップ側）に移動することが抑制される。したがって、尿等がサイドフラップに染み出し難くなり、着用者に不快感を生じにくくさせることができる。
【００３９】
かかるパンツ型吸収性物品であって、前記上下方向において、前記吸収性本体の前記前側上端部に配置されている前記第２接合領域の長さが、前記吸収性本体の後側上端部に配置されている前記第２接合領域の長さよりも短い、ことが望ましい。
【００４０】
このようなパンツ型吸収性物品によれば、上下方向において、前側第２接合領域の長さが短くなり、その下端位置が上側にシフトすることにより、防漏壁が最も高く起立する位置が下側にシフトしやすくなる。これにより、パンツ型吸収性物品の着用時に、着用者の脚が防漏壁部に引っかかりにくくなり、前側（腹側）及び後側（背側）において排泄物の漏出を抑制しつつ、着用しやすいパンツ型吸収性物品を実現することができる。
【００４１】
かかるパンツ型吸収性物品であって、前記第３接合領域は、前記吸収性本体の前側上端部に配置された前側第３接合領域と、前記吸収性本体の後側上端部に配置された後側第３接合領域とを有し、前記上下方向において、前記前側第３接合領域の上端は、前記吸収性本体の前側上端まで延びており、前記後側第３接合領域の上端は、前記吸収性本体の後側上端まで延びている、ことが望ましい。
【００４２】
このようなパンツ型吸収性物品によれば、前側第３接合領域及び後側第３接合領域によって、第１接合領域と第２接合領域との間の左右方向における隙間が塞がれ、かつ、吸収性本体の上端と防漏壁部とが接合されていることにより、排泄物が、第１接合領域と第２接合領域との隙間を通過して、吸収性本体の上端から外側に漏出することを抑制することができる。
【００４３】
＝＝＝実施形態＝＝＝
本実施形態に係るパンツ型吸収性物品として、乳幼児用のパンツ型使い捨ておむつを例に挙げて説明する。但し、パンツ型吸収性物品は、乳幼児用の使い捨ておむつに限らず、大人用の使い捨ておむつや、生理用ショーツ等としても利用可能である。
【００４４】
＜パンツ型使い捨ておむつ１の構成＞
図１は、パンツ型使い捨ておむつ１（以下、単に「おむつ１」とも呼ぶ）の概略斜視図である。図２は、展開かつ伸長状態のおむつ１の平面図である。図３は、吸収性本体１０及び防漏壁部５０構成について説明する平面図及び断面図である。
【００４５】
おむつ１は、図１に示すパンツ型状態において、互いに交差する上下方向、左右方向、及び前後方向を有し、胴回り開口部ＢＨ、及び、一対の脚回り開口部ＬＨが形成されている。上下方向において、胴回り開口部ＢＨ側を上側とし、股下側を下側とする。また、図３の断面図に示すように、おむつ１を構成する資材が積層された方向を厚さ方向といい、厚さ方向において着用者の身体（肌）と接触する側を肌側といい、着用者の身体（肌）と接触しない側を非肌側という。
【００４６】
また、おむつ１の「伸長状態」とは、おむつ１が備える各弾性部材（例えば、後述する脚回り弾性部材１７や糸状弾性部材２３，３３等）を伸長させることにより、おむつ１全体（製品全体）を皺なく伸長させた状態、具体的には、おむつ１を構成する各部材（例えば、後述する吸収性本体１０や，ベルト部３０，４０等）の寸法がその部材単体の寸法と一致又はそれに近い寸法になるまで伸長させた状態のことを言う。
【００４７】
おむつ１は、平面視長方形状の３部材である、吸収性本体１０、前側ベルト部２０、及び、後側ベルト部３０を有する。前側ベルト部２０（腹側胴回り部）は着用者の腹側部に当てられ、後側ベルト部３０（背側胴回り部）は着用者の背側部に当てられる。
【００４８】
図２に示す展開状態のおむつ１において、前側ベルト部２０及び後側ベルト部３０は、それらの長手方向がおむつ１の左右方向に沿うように配置されている。そして、左右方向における前側ベルト部２０の中央部に、吸収性本体１０の長手方向一方側（前側）の端部が配置され、左右方向における後側ベルト部３０の中央部に、吸収性本体１０の長手方向他方側（後側）の端部が配置されている。
【００４９】
図２に示す展開状態のおむつ１において、吸収性本体１０の長手方向がおむつ１の上下方向に沿うように、吸収性本体１０が長手方向の所定位置ＦＬにて二つ折りされ、前側ベルト部２０と後側ベルト部３０とが左右方向の両端部にて、熱溶着や超音波溶着等の接合手段を用いて接合され、一対の接合領域２が形成される。これにより、おむつ１は、胴回り開口部ＢＨ及び一対の脚回り開口部ＬＨを有するパンツ型状態（図１参照）となる。
【００５０】
吸収性本体１０は、図３に示すように、吸収体１１と、吸収体１１よりも肌側に配置された液透過性のトップシート１２と、吸収体１１よりも非肌側に配置され、吸収性本体１０の外装をなすバックシート１３と、を備えている。また、吸収体１１の左右方向の両側には、一対の防漏壁部５０が設けられている。
【００５１】
吸収体１１は、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。一方、コアラップシート１１Ｂとしては、例えばティッシュペーパーを例示できる。
【００５２】
本実施形態の吸収性コア１１Ａは、長手方向の前側端部と後側端部との間に、左右方向（幅方向）における長さが短くなったくびれ部１１ＡＣを有している。このくびれ部１１ＡＣは、おむつ１の着用時において着用者の両脚に挟まれる部分であり、当該部分の左右方向における長さが短く（幅が狭く）なっていることにより、吸収性コア１１Ａが着用者の股間にフィットしやすくなる。
【００５３】
トップシート１２は、吸収体１１を肌側から覆うシート状の部材であり、例えば吸収体１１よりも大きい平面サイズの液透過性の不織布により形成される。
【００５４】
バックシート１３は、吸収性体１１を非肌側から覆うシート状の部材であり、吸収体１１より大きい平面サイズのシート部材である。バックシート１３は、例えば、ポリエチレン又はポリプロピレン等の液不透過性のバックフィルム１３ａと、バックフィルム１３ａの非肌側に設けられた不織布等の外装シート１３ｂとからなる二層構造のシート部材である。
【００５５】
外装シート１３ｂは、左右方向において吸収体１１の両側の端１１ｅｓ，１１ｅｓから外側に大きく延出した延出部１３ｂｆを有している。この延出部１３ｂｆが、吸収性本体１０の左右方向両側の端１０ｅｓ，１０ｅｓを折り返し位置として左右方向の内側かつ厚さ方向の肌側に折り返され、厚さ方向に重ね合わされることによってサイドフラップＳＦが形成されている。サイドフラップＳＦでは、厚さ方向に折り重ねられた外装シート１３ｂｆ，１３ｂｆの間に、糸ゴム等の複数の脚回り弾性部材１７，１７…が、各々上下方向に伸長された状態で左右方向に所定の間隔を空けて固定されている。これにより、サイドフラップＳＦに対して、上下方向（吸収性本体１０の長手方向）に沿った伸縮性が付与される。そして、複数の脚回り弾性部材１７，１７が横方向に並んで配置されていることにより、サイドフラップＳＦは、図１のように吸収性本体１０の左右方向の両側から平面を維持しつつ左右方向の外側に張り出した形状となる。したがって、おむつ１の着用時において、サイドフラップＳＦが着用者の脚繰りに沿って面でフィットしやすくなり、脚回り開口部ＬＨから排泄物等が漏出することを抑制しやすくなる。
【００５６】
防漏壁部５０は、不織布等の柔軟なシート部材によって形成され、吸収体１１の左右方向の両側かつ厚さ方向の肌側に設けられている。おむつ１の着用時には、該防漏壁部５０が、吸収体１１の左右方向の両側から着用者の肌側に起立することにより、排泄物が吸収性本体１０の外側に漏出することを抑制する。防漏壁部５０の詳細については、後で説明する。
【００５７】
前側ベルト部２０及び後側ベルト部３０は、それぞれ、内層シート２１，３１と、内層シート２１，３１に積層された外層シート２２，３２と、複数の糸状弾性部材２３，３３とを有する。
【００５８】
外層シート２２，３２は内層シート２１，３１よりも非肌側に配置されている。内層シート２１，３１及び外層シート２２，３２は吸収性本体１０よりも非肌側に配置されている。内層シート２１，３１及び外層シート２２，３２単体は、おむつ１の左右方向の伸縮性を実質的に有さない非伸縮性シートである。内層シート２１，３１及び外層シート２２，３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシートなどを用いることができる。
【００５９】
複数の糸状弾性部材２３，３３は、内層シート２１，３１と外層シート２２，３２の間において、上下方向に並んで配置されるとともに、左右方向に伸長した状態で固定されている。よって、前側ベルト部２０及び後側ベルト部３０は左右方向に伸縮し、着用者の胴回りにフィットする。糸状弾性部材２３，３３としては、ゴムやスパンデックス等の糸状弾性部材を例示できる。
【００６０】
本実施形態の後側ベルト部３０では、上端部から下端部に亘って糸状弾性部材３３が配置されている。一方、前側ベルト部２０の上端部には、糸状弾性部材２３が配置されておらず、代わりに、左右方向に伸縮する伸縮性シート２４が配置されている。このように、前側ベルト部２０の上端部に糸状弾性部材２３を配置せずに伸縮性シート２４を配置することで、前側ベルト部２０の上端部が着用者の身体（肌）に面で密着しやすくなる。これにより、局所的な締め付けが抑えられ、着用者の肌に伸縮部材の跡を残り難くすることができる。特に、おむつ１の着用対象者として想定される乳幼児は、一般に、腹部がぽっこりと出た体型をしているため、本実施形態のように、前側ベルト部２０による腹部の局所的な締め付けを抑えることにより、着用時の不快感を生じにくくすることができる。
【００６１】
＜防漏壁部５０について＞
続いて、防漏壁部５０の構成及び機能の詳細について説明する。防漏壁部５０は、防漏壁シート５１及び、複数の防漏壁弾性部材５２を有している。防漏壁シート５１は、柔軟性を有する矩形状のシート部材であり、例えば不織布等によって構成されている。本実施形態の防漏壁シート５１は、吸収性本体１０の左右方向の両端部において、上下方向（吸収性本体１０の長手方向）に沿って設けられ、図３に示されるように、左右方向の内側端５０ｉｓにて左右方向の外側に折り返されている。そして、厚さ方向に重ね合わされた防漏壁シート５１，５１の間には、糸ゴム等の複数の防漏壁弾性部材５２，５２…が、上下方向に伸長された状態で左右方向に所定の間隔を空けて固定されている。これにより、防漏壁部５０に対して、上下方向（長手方向）に沿った伸縮性が付与され、おむつ１の着用時においては、該伸縮性に基づいて防漏壁部５０の左右方向の内側端部（内側端５０ｉｓ）が着用者の肌側に起立する。
【００６２】
防漏壁部５０は、図３の斜線部で示されるように、ホットメルト接着剤等の接合材によって形成された第１接合領域５５，第２接合領域５６，及び第３接合領域５７によって吸収性本体１０と接合されている。
【００６３】
第１接合領域５５は、防漏壁部５０の左右方向の外側端部において、上下方向（吸収性本体１０の長手方向）に沿って設けられた帯状の領域であり、防漏壁部５０をサイドフラップＳＦの肌側面に接合している。おむつ１の着用時には、防漏壁部５０のうち第１接合領域５５よりも左右方向の内側の領域のうち少なくとも一部が、該第１接合領域５５の左右方向内側端を起点として厚さ方向の肌側に起立する。すなわち、第１接合領域５５は、防漏壁部５０の起立起点となる領域である。
【００６４】
第２接合領域５６は、吸収性本体１０の前後の上端部、かつ、左右方向において第１接合領域５５よりも内側に設けられ、防漏壁部５０の長手方向の両端部を吸収体１１（トップシート１２）の肌側面に接合している。以下の説明では、吸収性本体１０の前側上端部に設けられた第２接合領域５６を前側第２接合領域５６ｆ、吸収性本体１０の後側上端部に設けられた第２接合領域５６を後側第２接合領域５６ｂとも呼ぶ。防漏壁部５０は、この第２接合領域５６ｆ、５６ｂによって長手方向の両端部が接合されることにより、当該領域においては起立不能に固定されている。つまり、防漏壁部５０は、前側第２接合領域５６ｆ及び後側第２接合領域５６ｂとの長手方向の間の領域において起立可能となる。
【００６５】
第３接合領域５７は、少なくとも、上下方向において前側第２接合領域５６ｆの下端（前後方向の後側端）５６ｆｅｄと吸収性本体１０の下端（吸収性本体１０が長手方向に二つ折りにされている位置ＦＬ）との間、かつ、左右方向において第１接合領域５５と第２接合領域５６との間に設けられている。第３接合領域５７は、左右方向において第１接合領域５５よりも内側に設けられているため、当該領域では、防漏壁部５０の起立起点が第１接合領域５５ではなく第３接合領域５７となる。つまり、上下方向（長手方向）において第３接合領域５７が設けられている領域では、第３接合領域５７が設けられていない領域と比較して、防漏壁部５０の起立可能高さが低くなる（後述する図６及び図７参照）。
【００６６】
図４は、接合領域５５，５６，５７の配置と、防漏壁部５０の起立可能高さと関係について説明する概略平面図である。図５は、図４のＡ−Ａ断面について表した概略断面図である。図６は、図４のＢ−Ｂ断面について表した概略断面図である。図７は、図４のＣ−Ｃ断面について表した概略断面図である。図４では、図２と同様におむつ１を展開かつ伸長させた状態について示している。
【００６７】
先ず、上下方向（吸収性本体１０の長手方向）において第２接合領域５６（５６ｆ，５６ｄ）が形成されている領域では、図５に示されるように、防漏壁部５０の左右方向の内側端部（内側端５０ｉｓ）が吸収性本体１０に接合されているため、防漏壁部５０は起立不能となっている。
【００６８】
次に、少なくとも前記前後方向の中央よりも前側において第３接合領域５７が設けられている領域中の或る位置（第１位置とする）では、図６に示されるように、第３接合領域５７の内側端５７ｉｓを第１起立起点として防漏壁部５０の内側端５０ｉｓが肌側に起立する。このとき、防漏壁部５０が起立可能な最大の高さを第１起立高さＨ５７とする。第１起立高さＨ５７は、第１起立起点から防漏壁部５０の起立先端までの距離で表わされる。すなわち、第１起立高さＨ５７は、図４の左右方向においては、第３接合領域５７の内側端５７ｉｓと防漏壁部５０の内側端５０ｉｓとの間の距離となる。
【００６９】
そして、第１位置よりも前後方向の後側において第３接合領域５７が設けられておらず、第１接合領域５５が設けられている領域中の或る位置（第２位置とする）では、図７に示されるように、第１接合領域５５の内側端５５ｉｓを第２起立起点として防漏壁部５０の内側端５０ｉｓが肌側に起立する。このとき、防漏壁部５０が起立可能な最大の高さを第２起立高さＨ５５とする。第２起立高さＨ５５は、第２起立起点から防漏壁部５０の起立先端までの距離で表わされる。すなわち、第２起立高さＨ５５は、図４の左右方向においては、第１接合領域５５の内側端５５ｉｓと防漏壁部５０の内側端５０ｉｓとの間の距離となる。
【００７０】
図４から明らかなように、第１起立起点は、第２起立起点の位置よりも左右方向の内側に位置している。したがって、左右方向において、第３接合領域５７の内側端５７ｉｓと防漏壁部５０の内側端５０ｉｓとの間の距離は、第１接合領域５５の内側端５５ｉｓと防漏壁部５０の内側端５０ｉｓとの間の距離よりも短くなる。これにより、おむつ１では、前後方向前側の第１位置における防漏壁部５０の起立可能高さ（第１起立高さＨ５７）を、第１位置よりも後側の第２位置における防漏壁部５０の起立可能高さ（第２起立高さＨ５７）よりも低くすることができる。
【００７１】
図８Ａ及び図８Ｂは、おむつ１の胴回り開口部ＢＨを、前後方向（及び左右方向）に広げて、上側からおむつ１の内部を見たときの状態について表す図である。図８Ａでは、自然状態のおむつ１に対して、使用者が一対の脚回り開口部ＬＨの下側から手を入れて、胴回り開口部ＢＨを前後方向及び左右方向に広げたときの様子を表している。図８Ｂでは、自然状態のおむつ１に対して、使用者が胴回り開口部ＢＨの上側から両手を入れて、胴回り開口部ＢＨを前後方向及び左右方向に広げたときの様子を表している。なお、おむつ１の「自然状態」とは、おむつ１を所定時間放置したときの状態である。例えば、パンツ型形状のおむつ１について、ベルト部２０，３０を左右方向の両外側に引っ張り、ベルト部２０，３０及び吸収性本体１０を「伸長した状態」として、この伸長状態を１５秒間継続させた後、おむつ１の引っ張りを解除して机等の平面に置く。そして、このような平面平置きで５分間経過させた状態が自然状態である。
【００７２】
おむつ１の着用時において、胴回り開口部ＢＨが自然状態から前後及び左右に広げられると、防漏壁弾性部材５２が伸長し、該防漏壁弾性部材５２による収縮力が防漏壁部５０の内側端５０ｉｓに作用する。すると、防漏壁部５０が着用者の肌側に起立して、防漏壁部５０の内側端５０ｉｓが着用者の肌（鼠蹊部等）に当接しやすくなる。このとき、図８Ａ及び図８Ｂに示されるように、おむつ１の前後方向の前側において防漏壁部５０の起立可能高さ（Ｈ５７）が低く、前後方向の後側において防漏壁部５０の起立可能高さ（Ｈ５５）が高くなる。言い換えると、防漏壁部５０が最も高く肌側に起立している部分（Ｈ５５）が、前後方向の後側にある。
【００７３】
おむつ１の主な着用対象者である乳幼児は、仰向けで寝た姿勢でいることが多いため、便が排泄された場合、当該便は吸収性本体１０に吸収されず、後側（背側）に溜まりやすい。そこで、おむつ１の後側領域（第２位置）において防漏壁部５０を高く起立させることにより、おむつ１の内部で吸収性本体１０と乳幼児の身体との間に便を貯留することが可能な空間（容積）を広く設け、吸収性本体１０の外側に便が漏出することを抑制することができる。一方、乳幼児は身体が小さいことから、前後方向の前側において防漏壁部５０の起立高さが高すぎると、吸収性本体１０と身体との間の隙間が大きくなり、尿が吸収され難くなる。そこで、おむつ１の前側領域（第１位置）において防漏壁部５０の起立高さを抑えることにより、吸収性本体１０と着用者（乳幼児）の身体との間隔を小さくし、効率的に尿を吸収させやすくし、尿の横漏れ等を生じ難くすることができる。これにより、腹側においては尿を吸収しやすくし、背側においては便の漏出を抑制しやすいパンツ型おむつ１を実現することができる。また、各々の接合領域の配置や長さを変更することによって、防漏壁部５０の起立高さを自在に調整することが可能となり、着用対象者の身体の大きさや性別に応じて、よりフィット性を高めることができる。
【００７４】
なお、防漏壁部５０の実際の起立高さは、上下方向（前後方向）の位置によって異なっている。例えば図４で、第３接合領域５７が起立起点（第１起立起点）となる領域（第１位置）における防漏壁部５０の起立可能高さは、実際には、上下方向の上側の領域で低くなり、上下方向の下側の領域で高くなることが考えられる。上下方向の上側領域では、前側第２接合領域５６ｆによって防漏壁部５０が起立不能に固定されているため（図５参照）、該前側第２接合領域５６ｆの影響により、当該領域における防漏壁部５０の起立高さは、起立可能な最大の高さである第１起立高さＨ５７よりも低くなる。一方、上下方向の下側領域では前側第２接合領域５６ｆの影響を受け難く、防漏壁部５０は起立可能な最大の高さである第１起立高さＨ５７まで起立しやすくなる。すなわち、上下方向の下側ほど、防漏壁部５０の実際の起立高さが高くなる。
【００７５】
同様に、図４で、第１接合領域５５が起立起点（第２起立起点）となる領域（第２位置）における防漏壁部５０の実際の起立可能高さは、上下方向の上側の第３接合領域５７に近い領域では低く、上下方向の下側で第３接合領域５７から遠い領域ほど高くなる。
【００７６】
このような防漏壁部５０の起立高さの変動については、以下のように説明できる。すなわち、前側第２接合領域５６ｆの左右方向内側かつ上下方向の下端の点（図４の点Ｐ）と、第３接合領域５７の左右方向内側かつ上下方向の下端の点（図４の点Ｑ）とを結ぶ直線をＳＬ（図４では破線で示されている）とすると、防漏壁部５０は、直線ＳＬよりも左右方向の内側の領域において起立しやすくなる。直線ＳＬよりも左右方向の内側の領域では、防漏壁部５０が、第２接合領域５６及び第３接合領域５７による影響を受け難いためである。したがって、左右方向において図４の直線ＳＬと防漏壁部５０の内側端５０ｉｓとの間の距離Ｈ５０Ｘを、防漏壁部５０の実際の起立高さと考えることができる。
【００７７】
そして、防漏壁部５０の実際の起立高さＨ５０Ｘは、上下方向の上側から下側に向かって徐々に大きくなり、直線ＳＬと第１接合領域５５の左右方向内側端５５ｉｓとの交点（図４の点Ｒ）において最大となる。当該点Ｒは、図４から明らかなように、吸収性本体１０の下端（ＦＬ）よりも前後方向の後側（吸収性本体１０の長手方向の中央よりも後側）に位置している。したがって、図８で説明したように、防漏壁部５０が最も高く起立する部分は、前後方向の後側になることが明らかとなる。なお、おむつ１において、実際に防漏壁部５０が最も高く起立する部分（第２起立高さＨ５７となる部分）は、点Ｒを含んで上下方向に所定の長さを有する領域であり、点Ｒにおいて局所的に防漏壁部５０が高く起立するとは限らない。
【００７８】
また、直線ＳＬと第１接合領域５５の左右方向内側端５５ｉｓとの交点Ｒは、上下方向において、後側ベルト部３０の下端３０ｅｄよりも下側（図４において後側ベルト部３０の下端３０ｅｄよりも長手方向の前側）に位置している。したがって、防漏壁部５０は、上下方向において、吸収性本体１０の下端位置ＦＬと、後側ベルト部３０の下端３０ｅｄとの間で最も高く起立する。これにより、おむつ１の着用時において、着用者の排泄口（肛門）付近で防漏壁部５０を最も高く起立させることが可能となり、排泄物（便）を保持しやすくなる。
【００７９】
なお、図４〜図７に示されるように、おむつ１では、左右方向において、防漏壁部５０の外側端部が吸収性コア１１Ａよりも外側に配置され、第１接合領域５５によってサイドフラップＳＦの肌側面に接合されている。このような構成では、例えば、吸収性コア１１Ａで吸収しきれない程度の尿が排泄された場合、尿がサイドフラップＳＦに染み出して、着用者に不快感を生じさせるおそれがある。そこで、本実施形態では、左右方向において、吸収性コア１１Ａの外側かつ第１接合領域５５の内側（すなわち、吸収性コア１１Ａと第１接合領域５５との間）に第３接合領域５７を配置している。したがって、尿等が吸収性コア１１ＡからサイドフラップＳＦに移動することが第３接合領域５７によって抑制され、着用者に不快感を生じにくくさせることができる。
【００８０】
また、本実施形態のおむつ１では、上下方向において第３接合領域５７及び第２接合領域５６が設けられる範囲を適当に調整することにより、防漏壁部５０の起立高さをコントロールしている。
【００８１】
図４に示されるように、上下方向において、第３接合領域５７の下端５７ｅｄは、後側ベルト部３０の下端３０ｅｄよりも下側に位置している。これにより、おむつ１の着用時に、後側ベルト部３０による胴回りの締め付け力が作用していない領域において、防漏壁部５０が肌側に起立しやすくなる。すなわち、後側ベルト部３０よりも下側の所定の領域において防漏壁部５０を起立可能とすることができる。そして、起立した防漏壁部５０には、第１接合領域５５を起立起点として最大起立可能高さＨ５５が高くなる部分と、第３接合領域５７を起立起点として最大起立可能高さＨ５７が低くなる部分とが形成される。したがって、上述のように前後方向の前側においては尿の漏出を、後側の領域においては便の漏出を効果的に抑制することができる。
【００８２】
さらに、第３接合領域５７の下端５７ｅｄは、吸収性本体１０の下端（ＦＬ）よりも前後方向の前側に位置していることが望ましい。このようにすれば、第１接合領域５５を起立起点として防漏壁部５０の最大起立可能高さがＨ５５となる領域が広くなる。すなわち、おむつ１の着用時に防漏壁部５０が高く起立する領域を大きくすることができる。これにより、便を貯留可能な空間（容積）が広くなり、吸収性本体１０の外側に便が漏出することをより抑制しやすくなる。
【００８３】
また、上下方向において、第３接合領域５７の上端５７ｅｕは、前側ベルト部２０の下端２０ｅｄよりも上側に位置している。これにより、おむつ１の腹側（前側）において、前側ベルト部２０による胴回りの締め付け力が作用していない領域の広い範囲に亘って、第３接合領域５７を起立起点として防漏壁部５０を肌側に起立させることができる。すなわち、起立高さを制限しつつ防漏壁部５０を起立させることができる範囲を広くすることができる。これにより、おむつ１の前側で尿の横漏れ等を効果的に抑制することができる。
【００８４】
そして、上下方向において、第３接合領域５７の上端５７ｅｕは、前側第２接合領域５６ｆの下端５６ｆｅｄよりも上側に位置している。これにより、前側第２接合領域５６ｆの下端５６ｆｅｄと、第３接合領域５７の下端５７ｅｄとの間で、第３接合領域５７を起立起点として防漏壁部５０を肌側に起立させることができる領域を最大限広くすることができる。すなわち、おむつ１の腹側（前側）において、防漏壁部５０の起立高さが高くなりすぎないようにしつつ、より広い範囲で防漏壁部５０を起立させることが可能となり、尿の横漏れ等をより効果的に抑制することができる。
【００８５】
さらに、上下方向において、第３接合領域５７の上端５７ｅｕは、前側第２接合領域５６ｆの上端５６ｆｅｕよりも下側に位置している。上下方向において第３接合領域５７と前側第２接合領域５６ｆとが重複している領域では、第２接合領域５６ｆによって防漏壁部５０が起立不能となっている（図５参照）。つまり、当該重複している領域では、防漏壁部５０の最大起立可能高さはほぼゼロであり、第３接合領域５７は防漏壁部５０の起立高さを調整する機能を発揮していない。そこで、上下方向において前側第２接合領域５６ｆと重複して設けられる第３接合領域５７の面積をなるべく小さくすることにより、第３接合領域５７を形成する接着材の量を低減し、第３接合領域５７によって吸収性本体１０の肌触りが硬くなる部分の面積を小さくすることができる。これにより、防漏壁部５０の機能を損なうことなくコストを削減することが可能となり、また、おむつ１の肌触りを良好なものとすることができる。
【００８６】
また、上下方向において、第３接合領域５７の下端５７ｅｄは、吸収体１１（吸収性コア１１Ａ）のくびれ部１１ＡＣのくびれ開始位置（図４の点Ｓ）よりも上側に位置している。すなわち、第３接合領域５７の下端５７ｅｄは、くびれ部１１ＡＣよりも上側に位置している。このような構成とすることで、図４のように、第３接合領域５７と吸収性コア１１Ａとの左右方向における距離を近くすることができる。吸収体１１（吸収性コア１１Ａ）は、液体吸収性繊維等の液体吸収性素材が積層されることにより、他の部位（例えば防漏壁部５０）と比較して剛性が高くなっている。したがって、第３接合領域５７と吸収性コア１１Ａとの距離が近くなることにより、第３接合領域５７に歪や変形が生じ難くなる。これにより、防漏壁部５０が第３接合領域５７を起立起点として安定して起立しやすくなる。
【００８７】
また、上下方向において、第３接合領域５７の長さは、第２接合領域５６の長さよりも長くなっている。第２接合領域５６の長さを短くすることにより、上下方向において防漏壁部５０が起立可能な範囲を広くすることができる。そして、第３接合領域５７の長さを第２接合領域５６の長さよりも長くすることにより、該第３接合領域５７を起立起点として防漏壁部５０の起立可能高さを抑制する（図４で、Ｈ５７の高さをＨ５５よりも低くする）範囲を広くすることができる。これにより、おむつ１全体として、排泄物の漏出を抑制しやすくなる。また、防漏壁部５０の起立高さが適当に調整されるので、着用時におけるフィット性を向上させることができる。
【００８８】
＜防漏壁部５０の変形例＞
（第１変形例）
おむつ１の防漏壁部５０は以下のように変形することもできる。図９Ａ〜図９Ｃは、防漏壁部５０の第１変形例について説明する図である。同図９Ａ〜図９Ｃは、第１変形例における吸収性本体１０の概略断面図を示しており、それぞれ図５〜図７に対応する状態について表した図である。
【００８９】
第１変形例の防漏壁部５０は、防漏シート５１の左右方向の外側端部が左右方向の内側に折り返されて吸収体１１の下側（非肌側）に配置されている。そして、第１接合領域５５が、吸収体１１とバックシート１３（サイドフラップＳＦ）との厚さ方向の間に設けられている。なお、接合領域５５〜５７の上下方向における配置は、それぞれ上述の実施形態と同様である（図３参照）。また、おむつ１のその他の構成についても、上述の実施形態と同様である。
【００９０】
このような構成であっても、防漏壁部５０の起立高さを適当に調整することが可能である。先ず、上下方向において第２接合領域５６が設けられている領域では防漏壁部５０が起立不能に固定される（図９Ａ参照）。そして、前後方向（上下方向）において第２接合領域５６が設けられておらず、第３接合領域５７が設けられている領域（第１位置）では、防漏壁部５０が第３接合領域５７を起立起点（第１起立起点）として肌側に起立可能となる（図９Ｂ参照）。このとき、防漏壁部５０は第１起立高さＨ５７まで起立可能となる。そして、前後方向において第１領域よりも後側の第２領域では、左右方向において吸収体１１の両側の端１１ｅｓに沿って防漏壁部５０が肌側に起立可能となる。すなわち、吸収体１１の左右方向の外側端１１ｅｓを起立起点（第２起立起点）として防漏壁部５０が肌側に起立可能となる（図９Ｃ参照）。このとき、防漏壁部５０は第２起立高さＨ５５まで起立可能となる。なお、厳密には、防漏壁部５０の第２起立起点と、吸収体１１の端１１ｅｓとは左右方向において多少の位置ずれが生じる場合があるが（図９Ｃ参照）、ここでは、位置ずれは生じないものとする。
【００９１】
そして、図９Ａ〜図９Ｃに示されるように、防漏壁部５０の第１起立起点たる第３接合領域５７は、第２起立起点たる吸収体１１の端１１ｅｓよりも内側に位置している。これにより、前後方向の前側の第１位置における防漏壁部５０の起立可能高さ（第１起立高さＨ５７）が、第１位置よりも後側の第２位置における防漏壁部５０の起立可能高さ（第２起立高さＨ５５）よりも低くなる。したがって、第１変形例においても、腹側においては尿を吸収しやすくし、背側においては便の漏出を抑制しやすくすることができる。
【００９２】
また、第１変形例では、防漏シート５１の左右方向の外側端部が吸収性コア１１Ａよりも非肌側に巻き込まれ、該外側端部の少なくとも一部が、左右方向において、吸収性コア１１Ａと重複する位置に配置されている（図９Ａ〜図９Ｃ参照）。そして、吸収性コア１１Ａよりも肌側では、左右方向において、第３接合領域５７の一部が吸収性コア１１Ａと重複する位置に配置されている（図９Ａ参照）。すなわち、防漏壁部５０によって吸収性コア１１Ａの左右方向の両側が覆われる構成となっている。このような構成により、例えば、吸収性コア１１Ａが吸収しきれない程度の尿が排泄された場合であっても、尿等が吸収性コア１１ＡからサイドフラップＳＦに移動することが抑制される。したがって、サイドフラップＳＦが濡れ難く、着用者に不快感を生じにくくさせることができる。
【００９３】
（第２変形例）
また、第２変形例として、上下方向において、前側第２接合領域５６ｆの長さが、後側第２接合領域５６ｂの長さよりも短くなるようにしても良い。例えば、図４の上下方向において、前側第２接合領域５６ｆの長さが短くなり、下端５６ｆｅｄの位置（図４の点Ｐ）が上側（長手方向の前側）にシフトすると、上下方向に対する直線ＳＬのなす角度が鋭角となり、直線ＳＬと第１接合領域５５の左右方向内側端５５ｉｓとの交点（図４の点Ｒ）が上下方向の下側（長手方向の後側）にシフトする。すなわち、防漏壁部５０が最も高く起立する位置がより後側になる。
【００９４】
この場合、着用者（乳幼児）におむつ１を着用させる動作において、着用者が脚回り開口部ＬＨに脚を通す際に、起立した防漏壁部５０に着用者の脚が引っかかり難くなる。したがって、第２変形例によれば、おむつ１をより着用しやすくすることができる。これにより、前側（腹側）及び後側（背側）において排泄物の漏出を抑制しつつ、着用しやすいおむつ１を実現することができる。
【００９５】
（第３変形例）
第３変形例では、第３接合領５７が吸収性本体１０の後側上端部にも設けられている。図１０は、第３変形例の接合領域について説明する概略平面図である。第３変形例の防漏壁部５０は、第１接合領域５５及び第２接合領域５６に加えて、吸収性本体１０の前側上端部に配置された前側第３接合領域５７ｆと、吸収性本体１０の後側上端部に配置された後側第３接合領域５７ｂとによって吸収性本体に接合されている。
【００９６】
前側第３接合領域５７ｆは、上述した第３接合領域５７とほぼ同一の構成を有し、防漏壁部５０の第１起立起点となる接合領域である。但し、本変形例では、前側第３接合領域５７ｆの上端５７ｆｅｕが、吸収性本体１０の前側上端１０ｅｆまで延びている。
【００９７】
後側第３接合領域５７ｂは、左右方向において前側第３接合領域５７ｆと同じ位置に配置されている。また、上下方向において、後側第３接合領域５７ｂの上端５７ｂｅｕは吸収性本体１０の後側上端１０ｅｂまで延びており、後側第３接合領域５７ｂの下端５７ｂｅｄは後側第２接合領域５６ｂの下端５６ｂｅｄよりも上側に位置している。上述したように、後側第２接合領域５６ｂが形成されている領域では防漏壁部５０が起立不能に固定されていることから、上下方向において後側第２接合領域５６ｂと重複している後側第３接合領域５７ｂは防漏壁部５０の起立基部にはならない。すなわち、後側第３接合領域５７ｂは、防漏壁部５０の起立動作には影響しない。
【００９８】
一方、第３変形例では、第３接合領域５７ａ，５７ｂが、上下方向において吸収性本体１０の上端まで設けられていることにより、尿等の漏出を抑制しやすくなっている。例えば、図３の例では、吸収性本体１０の後側上端において、第１接合領域５５と第２接合領域５６との左右方向の間には接合領域が設けられておらず隙間が形成されているため、当該隙間を通過して排泄物が吸収性本体１０の外側に漏出してしまうおそれがある。特に、着用対象者である乳幼児は仰向けで寝た姿勢をとっている機会が多いため、排泄物が吸収性本体１０の背側上端部を通過して外側に漏出しやすい。これに対して、第３変形例では、第３接合領域５６ｆ，５７ｂによって、第１接合領域５５と第２接合領域５６との間の隙間が塞がれ、かつ、吸収性本体１０の上端１０ｅｆ，１０ｅｂが接合されている。したがって、排泄物が、当該隙間を通過して吸収性本体の上端から外側に漏出してしまうことを抑制しやすくなる。
【００９９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【０１００】
上述の実施形態では、前側ベルト部２０の上端部に伸縮性シート２４が配置されていたが、このような構成に限られない。例えば、上下方向における前側ベルト部２０の何れの位置に伸縮性シート２４を配置しても良い。また、後側ベルト部３０が伸縮性シートを有し、前側ベルト部２０が伸縮性シートを有していなくても良いし、前側ベルト部２０と後側ベルト部３０が共に伸縮性シート２４を有していても良い。また、前側ベルト部２０及び後側ベルト部３０のいずれにも伸縮シート２４が設けられていなくても良いし、伸縮シート２４の代わりに糸状弾性部材２３，２４に相当する糸ゴム等の弾性部材が設けられていても良い。
【０１０１】
また、上記の実施形態では、前側ベルト部２０と後側ベルト部３０が分離されて別部材であるおむつを例示したが、前側ベルト部２０と後側ベルト部３０の間に股下部が設けられ、前側ベルト部２０と後側ベルト部３０が連続した一部材であっても良い。
【符号の説明】
【０１０２】
１  おむつ（パンツ型吸収性物品）、２  接合領域、
１０  吸収性本体、１０ｅｓ  端（左右方向）、
１０ｅｆ  前側上端、１０ｅｂ  後側上端、
１１  吸収体、１１ｅｓ  端（左右方向）、
１１Ａ  吸収性コア、１１ＡＣ  くびれ部、１１Ｂ  コアラップシート、
１２  トップシート、１３  バックシート、
１３ａ  バックフィルム、１３ｂ  外装シート、１３ｂｆ  延出部、
１７  脚回り弾性部材、
２０  前側ベルト部（腹側胴回り部）、３０ｅｄ  下端、
２１  内層シート、２２  外層シート、２３  糸状弾性部材、２４  伸縮性シート、
３０  後側ベルト部（背側胴回り部）、３０ｅｄ  下端、
３１  内層シート、３２  外層シート、３３  糸状弾性部材、
５０  防漏壁部、５０ｉｓ  内側端、５１ｏｓ  外側端、
５１  防漏壁シート、５２  防漏壁弾性部材、
５５  第１接合領域、５５ｉｓ  内側端（第２起立起点）、
５６  第２接合領域、
５６ｆ  前側第２接合領域、５６ｆｅｕ  上端、５６ｆｅｄ  下端、
５６ｂ  後側第２接合領域、
５７  第３接合領域、５７ｉｓ  内側端（第１起立起点）、５７ｅｕ  上端、
５７ｅｄ  下端、
５７ｆ  前側第３接合領域、５７ｆｅｕ  上端、
５７ｂ  後側第３接合領域、５７ｂｅｕ  上端、５７ｂｅｄ  下端、
ＢＨ  胴回り開口部、
ＬＨ  脚回り開口部、
ＦＬ  所定位置、
ＳＦ  サイドフラップ、
Ｈ５０Ｘ  高さ、Ｈ５５  高さ（第２起立高さ）、Ｈ５７  高さ（第１起立高さ）
【図１】
2019198592.tif 000003
【図２】
2019198592.tif 000004
【図３】
2019198592.tif 000005
【図４】
2019198592.tif 000006
【図５】
2019198592.tif 000007
【図６】
2019198592.tif 000008
【図７】
2019198592.tif 000009
【図８】
2019198592.tif 000010
【図９】
2019198592.tif 000011
【図１０】
2019198592.tif 000012